(57)【要約】【課題】揮散体及び噴霧ポンプの双方を有するツーウェイ式の揮散容器において、流通時や不使用時には揮散を防止できる一方、使用時にはワンタッチ操作で揮散可能とし、しかも、薬剤を揮散可能とした状態のままで揮散容器を片手で把持して薬剤を噴霧させる際に、手が揮散する薬剤に晒されることを抑制できる揮散容器を提供する。【解決手段】操作筒体60の下端部と容器体10との間には、揮散体40から揮発した薬剤を放出する放出孔Pを形成し、開閉体50には、操作筒体60の一方への回転操作に伴う開閉体50の下降にて、揮散体40と放出孔Pとの間の経路を遮断すると共に、操作筒体60の他方への回転操作に伴う開閉体50の上昇にて、前記経路を開放する開閉壁部52,53,55,56を設ける。【選択図】図１
2015196506.tif 000002
【特許請求の範囲】
【請求項１】
容器体内の薬剤を吸上芯で吸い上げて揮発させる揮散体と、頭部の押し下げにて前記容器体内の前記薬剤を吸い上げて噴霧する噴霧ポンプと、を備える揮散容器において、
前記容器体の口部に装着される装着筒部、該装着筒に連なり前記揮散体が載置される環状の天面壁部、該天面壁部の内周縁に連なり前記噴霧ポンプが取り付けられる取付筒部、及び前記天面壁部の外周縁から垂下する内螺筒部を有する装着体と、
前記装着体の内螺筒部の外周面に螺合する外螺筒部を有し、該外螺筒部の前記内螺筒部に対する回転に伴い昇降可能な開閉体と、
前記開閉体の周りを取り囲むと共に該開閉体を伴って回転する操作筒体と、を備え、
前記操作筒体の下端部と前記容器体との間には、前記揮散体から揮発した前記薬剤を放出する放出孔が形成されており、
前記開閉体には、前記操作筒体の一方への回転操作に伴う前記開閉体の下降にて、前記揮散体と前記放出孔との間の経路を遮断すると共に、前記操作筒体の他方への回転操作に伴う前記開閉体の上昇にて、前記経路を開放する開閉壁部が設けられていることを特徴とする揮散容器。
【請求項２】
前記操作筒体は、前記容器体に対して昇降不能に取り付けられ、
前記操作筒体と前記開閉体との間には、上下方向に延びる縦リブ同士、又は上下方向に延びる縦リブと縦溝を互いに係合させることで、前記操作筒体の回転に伴って前記開閉体を回転させる係合部が形成されている、請求項１に記載の揮散容器。
【請求項３】
前記操作筒体の上部には、前記噴霧ポンプの頭部の外周面を取り囲む包囲壁部が形成されており、該包囲壁部は、前記操作筒体の他方への回転操作にて、前記噴霧ポンプの頭部の外周面に形成された噴霧口と整列して該噴霧口を開放する切欠き部を有する、請求項１又は２に記載の揮散容器。
【発明の詳細な説明】
【技術分野】
【０００１】
本発明は、容器体内の薬剤を吸上芯で吸い上げて揮発させる揮散体と、頭部の押し下げにて容器体内の薬剤を吸い上げて噴霧する噴霧ポンプと、を備える揮散容器に関し、特に、流通時や不使用時には揮散を防止できる一方、使用時にはワンタッチ操作で揮散可能とし、しかも、薬剤を揮散可能とした状態のままで揮散容器を片手で把持して薬剤を噴霧させる際に、手が揮散する薬剤に晒されることを抑制しようとするものである。
【背景技術】
【０００２】
従来、芳香剤等の揮発性の薬剤を、揮散体から揮発させて外部に分散させる（すなわち、揮散させる）据え置きタイプの揮散容器が知られている。また、このような揮散容器として、噴霧ポンプも備え、通常時には据え置きタイプとして使用できる一方、比較的多量の薬剤を短時間で外部に与えたい場合には、噴霧ポンプから薬剤を噴霧できるようにした、所謂ツーウェイ式の揮散容器が知られている。
【０００３】
このようなツーウェイ式の揮散容器として、例えば、特許文献１に記載されるものでは、流通時には、容器体の口部に閉鎖キャップが螺着されており、使用時には、当該閉鎖キャップを取り外し、揮散体と吸上芯とを取付部材によって容器体の口部に取り付け、さらに、容器体に噴霧ポンプを取り付けるようになっている。
【先行技術文献】
【特許文献】
【０００４】
【特許文献１】特開２００８−３０１９１６号公報
【発明の概要】
【発明が解決しようとする課題】
【０００５】
しかしながら、特許文献１に記載されるような揮散容器では、使用時に、閉鎖キャップを取り外し、揮散体及び噴霧ポンプ等を取り付けることで、薬剤を揮散可能とすることができるが、より容易に揮散可能とすることのできる構成が求められている。また、揮散容器を片手で把持して薬剤を噴霧させられる構成とし、さらには、薬剤を揮散可能とした状態のままで噴霧させた場合でも、手が揮散する薬剤に晒されにくい構成にできれば、使い勝手をより一層向上させることができる。
【０００６】
本発明は、前記の現状に鑑み開発されたもので、揮散体及び噴霧ポンプの双方を有するツーウェイ式の揮散容器において、流通時や不使用時には揮散を防止できる一方、使用時にはワンタッチ操作で揮散可能とし、しかも、薬剤を揮散可能とした状態のままで揮散容器を片手で把持して薬剤を噴霧させる際に、手が揮散する薬剤に晒されることを抑制できる揮散容器を提供することを目的とする。
【課題を解決するための手段】
【０００７】
すなわち、本発明の要旨構成は以下のとおりである。
１．容器体内の薬剤を吸上芯で吸い上げて揮発させる揮散体と、頭部の押し下げにて前記容器体内の前記薬剤を吸い上げて噴霧する噴霧ポンプと、を備える揮散容器において、
前記容器体の口部に装着される装着筒部、該装着筒に連なり前記揮散体が載置される環状の天面壁部、該天面壁部の内周縁に連なり前記噴霧ポンプが取り付けられる取付筒部、及び前記天面壁部の外周縁から垂下する内螺筒部を有する装着体と、
前記装着体の内螺筒部の外周面に螺合する外螺筒部を有し、該外螺筒部の前記内螺筒部に対する回転に伴い昇降可能な開閉体と、
前記開閉体の周りを取り囲むと共に該開閉体を伴って回転する操作筒体と、を備え、
前記操作筒体の下端部と前記容器体との間には、前記揮散体から揮発した前記薬剤を放出する放出孔が形成されており、
前記開閉体には、前記操作筒体の一方への回転操作に伴う前記開閉体の下降にて、前記揮散体と前記放出孔との間の経路を遮断すると共に、前記操作筒体の他方への回転操作に伴う前記開閉体の上昇にて、前記経路を開放する開閉壁部が設けられていることを特徴とする揮散容器。
【０００８】
２．前記操作筒体は、前記容器体に対して昇降不能に取り付けられ、
前記操作筒体と前記開閉体との間には、上下方向に延びる縦リブ同士、又は上下方向に延びる縦リブと縦溝を互いに係合させることで、前記操作筒体の回転に伴って前記開閉体を回転させる係合部が形成されている、前記１の揮散容器。
【０００９】
３．前記操作筒体の上部には、前記噴霧ポンプの頭部の外周面を取り囲む包囲壁部が形成されており、該包囲壁部は、前記操作筒体の他方への回転操作にて、前記噴霧ポンプの頭部の外周面に形成された噴霧口と整列して該噴霧口を開放する切欠き部を有する、前記１又は２の揮散容器。
【発明の効果】
【００１０】
本発明によれば、流通時や不使用時には、操作筒体の一方への回転操作に伴う開閉体の下降にて、該開閉体の開閉壁部によって揮散体と放出孔との間の経路を遮断し、放出孔を通した薬剤の揮散を防止することができる。また、使用時には、操作筒体の他方への回転操作というワンタッチ操作にて開閉体を上昇させて、前記経路を開放し、放出孔を通して薬剤を揮散させることができる。さらに、薬剤を揮散可能とした状態のままで揮散容器を片手で把持して薬剤を噴霧させる際には、放出孔が操作筒体の下端部と容器体との間に形成されていることから、操作筒体を把持して噴霧ポンプの押し下げ操作を行うことで、手が揮散する薬剤に晒されることを抑制することができる。
【００１１】
したがって、本発明によれば、揮散体及び噴霧ポンプの双方を有するツーウェイ式の揮散容器において、流通時や不使用時には揮散を防止できる一方、使用時にはワンタッチ操作で揮散可能とし、しかも、薬剤を揮散可能とした状態のままで揮散容器を片手で把持して薬剤を噴霧させる際に、手が揮散する薬剤に晒されることを抑制できる揮散容器を提供することができる。
【図面の簡単な説明】
【００１２】
【図１】本発明の一実施形態に係る揮散容器の揮散を防止した状態を示す図であり、（ａ）は平面図、（ｂ）は（ａ）のＡ−Ａ線に沿う一部断面図である。
【図２】図１の揮散容器の揮散可能とした状態を示す図であり、（ａ）は平面図、（ｂ）は（ａ）のＡ’−Ａ’線に沿う一部断面図である。
【図３】図２のＢ−Ｂ線に沿う一部断面図である。
【発明を実施するための形態】
【００１３】
以下、図１〜図３を参照して、本発明の一実施形態に係る揮散容器１について詳細に例示説明する。
なお、本明細書において、上下方向とは、装着体３０の内螺筒部３５の軸線Ｏに沿う方向を意味し、上方とは、装着体３０の天面壁部３２から見て揮散体４０が配置される側（すなわち、図１（ｂ）における上方）、下方とは、その反対側を意味するものとする。
【００１４】
図１に示すように、本実施形態に係る揮散容器１は、容器体１０と、吸上芯２０と、装着体３０と、揮散体４０と、開閉体５０と、操作筒体６０と、噴霧ポンプ７０と、を備える。
【００１５】
容器体１０は、軸線Ｏを中心とする円筒状の口部１１を有するボトル状を成しており、口部１１から拡径する肩部１２と、肩部１２に連なる円筒状の上側胴部１３と、上側胴部１３の下端に外向き壁部１４を介して連なる下側胴部１５と、下側胴部１５の下端を閉塞する底部１６とを有している。下側胴部１５の上部には、該下側胴部１５の壁面を湾曲させることによって、複数（本例では４つ）の、上下方向に延びる溝状の窪み部１５ａが周方向に間隔を空けて形成されている。各窪み部１５ａは、上方に向かって徐々に窪み、上端が上側胴部１３に滑らかに連なっている。上側胴部１３の下部から外向き壁部１４の上面内周部分に亘る部分には、少なくとも１つの、装着体３０の回り止め用の突起１７が形成されている。容器体１０の内部には、芳香剤、消臭剤、防虫剤、殺虫剤等の液状の薬剤（図示省略）が収納されている。
【００１６】
また、容器体１０の内部には、容器体１０内の薬剤を吸い上げて揮散体４０に到達させる吸上芯２０が配置されている。吸上芯２０は、軸線Ｏを中心とする円筒状を成しており、装着体３０によって、容器体１０の口部１１に取り付けられている。
【００１７】
容器体１０の口部１１の外周面には、軸線Ｏを中心とする雄ねじ部１１ａが形成されている。該雄ねじ部１１ａには、装着体３０の装着筒部３１の内周面に形成された雌ねじ部３１ａが螺着することで、装着体３０が容器体１０に取り付けられている。なお、雄ねじ部１１ａ及び雌ねじ部３１ａに代えて、互いに乗越えによって係止する凹凸部を設けることで、装着体３０を容器体１０に取り付けるようにしてもよい。
【００１８】
装着筒部３１の上端には、環状の天面壁部３２が連設されている。天面壁部３２の内周縁には、環状のシール壁部３３が垂設されている。また、天面壁部３２の内周縁には、噴霧ポンプ７０が取り付けられる取付筒部３４が立設されている。取付筒部３４は、天面壁部３２の内周縁に連なる下側取付筒部３４ａと、下側取付筒部３４ａに内向きフランジ部を介して連なる上側取付筒部３４ｂとを有する。下側取付筒部３４ａには、周方向に間隔を空けて配置された複数の開口３４ｃが形成されている。下側取付筒部３４ａの内周側には、前述した吸上芯２０の上端部が嵌め込まれている。吸上芯２０の上端部の外周面は、複数の開口３４ｃを通して、天面壁部３２の上面に載置された揮散体４０の内周面に接触している。揮散体４０は、例えば、フェルト、不織布又は濾紙等の吸水性素材で構成することができ、中央に円形の貫通孔４１を有する円板状を成している。
【００１９】
装着体３０の天面壁部３２の外周縁には、軸線Ｏを中心とする内螺筒部３５が垂設されている。内螺筒部３５の外周面には、雄ねじ部３５ａが形成されている。内螺筒部３５の下端には、支持筒部３６が垂設されている。支持筒部３６は、容器体１０の上側胴部１３の上側部分に当接し、或いは該上側部分と僅かな隙間を残して対向する上側支持筒部３６ａと、該上側支持筒部３６ａの下端から下方に向かって拡径するテーパ状の中間支持筒部３６ｂと、該中間支持筒部３６ｂの下端から垂下すると共に容器体１０の外向き壁部１４に当接し、或いは該外向き壁部１４と僅かな隙間を残して対向する下側支持筒部３６ｃとを有する。上側支持筒部３６ａ及び中間支持筒部３６ｂには、複数の開口３６ｄが周方向に間隔を空けて形成されている。中間支持筒部３６ｂ及び下側支持筒部３６ｃの内周面には、中間支持筒部３６ｂの上側部分から下側支持筒部３６ｃの下側部分に亘って上下方向に延びる回転防止リブ３６ｅが形成されている。回転防止リブ３６ｅは、装着体３０を容器体１０の口部１１に装着させる際に、容器体１０側に設けられた突起１７に対して乗越え係止し、以後、装着体３０の取り外し方向への回転を防止する。下側支持筒部３６ｃの外周面には、環状の係止凹部３６ｆが周設されている。下側支持筒部３６ｃの下端には、外周側に延びる鍔部３６ｇが形成されている。
【００２０】
装着体３０の内螺筒部３５の外周面には、開閉体５０の外螺筒部５１が螺合している。すなわち、内螺筒部３５の雄ねじ部３５ａには、外螺筒部５１の内周面に形成された雌ねじ部５１ａが螺着している。開閉体５０は、外螺筒部５１の内螺筒部３５に対する回転に伴い昇降可能となっている。すなわち、開閉体５０は、内螺筒部３５に対する外螺筒部５１の回転により、図２に示す上方に移動した状態と、図１に示した下方に移動した状態とを切り替えられるようになっている。
【００２１】
外螺筒部５１の上端には筒状の連結壁部５２が連なっている。連結壁部５２には、複数の開口５２ａが周方向に間隔を空けて形成されている。連結壁部５２の上端には、連結壁部５２よりも縮径した封止筒壁部５３の下端が連なっている。図１に示したように、封止筒壁部５３の下端は、装着体３０の天面壁部３２の上面における外周縁に気密に当接している。封止筒壁部５３、連結壁部５２及び外螺筒部５１の外周面には、封止筒壁部５３の上端から外螺筒部５１の下端に亘って上下方向に延びる複数の縦リブ５４が、周方向に間隔を空けて形成されている。封止筒壁部５３の上端には、環状の封止天壁部５５の外周縁が連なっている。封止天壁部５５の内周縁には、環状の封止突起５６が垂設されている。封止天壁部５５の内周縁及び封止突起５６の内周面は、装着体３０の下側取付筒部３４ａの外周面上端に気密に当接している。
【００２２】
装着体３０の上側取付筒部３４ｂの外周面には、軸線Ｏを中心とする雄ねじ部３４ｄが形成されている。雄ねじ部３４ｄには、噴霧ポンプ７０の取付筒体７１に形成された雌ねじ部７１ａが螺着されている。なお、雄ねじ部３４ｄ及び雌ねじ部７１ａに代えて、互いに乗越えによって係止する凹凸部を設けることで、噴霧ポンプ７０を取付筒部６６に取り付けるようにしてもよい。
【００２３】
噴霧ポンプ７０は、上側取付筒部３４ｂに取付筒体７１を取り付けることによって、シリンダ７２が上側取付筒部３４ｂに固定され、頭部７３の押し下げにて、それ自体公知のポンプ機構によって、吸上パイプ７４を通じて容器体１０内の薬剤を吸い上げ、頭部７３の外周面に設けられた噴霧口７３ａ（図２及び図３参照）から薬剤を噴霧できるようになっている。
【００２４】
図１に示したように、操作筒体６０は、開閉体５０の周りを取り囲むと共に該開閉体５０を伴って回転するようになっている。本実施形態では、操作筒体６０の内周面には、開閉体５０の複数の縦リブ５４と係合する、上下方向に延びる複数の縦リブ６１が周方向に間隔を空けて配置されており、これら縦リブ５４，６１同士の係合によって、操作筒体６０が開閉体５０を伴って回転するようになっている。なお、これら縦リブ５４，６１のいずれか一方を、上下方向に延びる縦溝として構成し、これらを互いに係合させるようにしてもよい。操作筒体６０の下端部には、内周面に環状の係止突起６２が形成されており、操作筒体６０の下端部を開閉体５０の鍔部３６ｇに当接させた状態で、係止突起６２が開閉体５０の係止凹部３６ｆに係止されている。これにより、操作筒体６０は、容器体１０に対して昇降不能に取り付けられている。
【００２５】
また、操作筒体６０の下端部と容器体１０との間には、揮散体４０から揮発した薬剤を放出する放出孔Ｐが形成されている。より具体的には、本実施形態では、放出孔Ｐは、装着体３０の下側支持筒部３６ｃの下端部と、容器体１０の窪み部１５ａとの間に形成されている。
【００２６】
その結果、操作筒体６０の一方への回転操作により、開閉体５０を下降させ、図１に示したように、本実施形態では連結壁部５２、封止筒壁部５３、封止天壁部５５及び封止突起５６で構成される開閉壁部によって、揮散体４０と放出孔Ｐとの間の経路を遮断して揮散を防止できると共に、操作筒体６０の他方への回転操作により、開閉体５０を上昇させ、図２に示したように、前記開閉壁部によって前記経路を開放して揮散可能とすることができる。なお、封止突起５６を省略し、連結壁部５２、封止筒壁部５３及び封止天壁部５５で開閉壁部を構成してもよい。
【００２７】
図１に示したように、操作筒体６０の上部には、噴霧ポンプ７０の頭部７３の外周面を取り囲む包囲壁部６３が形成されており、該包囲壁部６３は、操作筒体６０の他方への回転操作にて、噴霧ポンプ７０の頭部７３の外周面に形成された噴霧口７３ａと整列して該噴霧口７３ａを開放する噴霧側切欠き部６３ａを有する。また、包囲壁部６３は、噴霧側切欠き部６３ａと軸線Ｏを挟んで対向する位置に、頭部７３の押し下げ操作を容易にするための操作側切欠き部６３ｂを有する。
【００２８】
また、図２に示したように、操作筒体６０の外周面下部には、揮散容器１が揮散防止状態と揮散可能状態のいずれの状態にあるかを表示する表示部６４が設けられている。表示部６４は、本実施形態では、逆三角形状をなす突起であり、図２に示した揮散可能状態のときに、容器体１０の下側胴部１５に設けられた「ＯＰＥＮ」という文字からなる表示部１８と整列するようになっている。
【００２９】
かかる構成によれば、流通時や不使用時には、操作筒体６０の一方への回転操作に伴う開閉体５０の下降にて、図１に示したように、該開閉体５０の開閉壁部（本実施形態では連結壁部５２、封止筒壁部５３、封止天壁部５５及び封止突起５６）によって揮散体４０と放出孔Ｐとの間の経路を遮断し、放出孔Ｐを通した薬剤の揮散を防止することができる。また、使用時には、操作筒体６０の他方への回転操作というワンタッチ操作にて開閉体５０を上昇させて、図２に示したように、前記経路を開放し、放出孔Ｐを通して薬剤を揮散させることができる。
【００３０】
このように揮散防止状態と揮散可能状態との切り替えを行うに際しては、本実施形態では、操作筒体６０を容器体１０に対して昇降不能に取り付けているため、デザインされた外観形状を維持したままで前記の切り替えが可能となる。また、その際、揮散容器１の外面に設けられた表示部６４，１８によって、揮散防止状態と揮散可能状態のいずれの状態にあるかをユーザーが容易に確認することができる。
【００３１】
また、本実施形態では、操作筒体６０に包囲壁部６３を設けているため、図１に示した揮散防止状態では、噴霧ポンプ７０からの薬剤の噴霧を防止することができる。すなわち、揮散防止状態では、包囲壁部６３の操作側切欠き部６３ｂが噴霧ポンプ７０の噴霧口７３ａの反対側からずれた位置にあるため、噴霧ポンプ７０の頭部７３の押し下げ操作を妨げることができる。また、押し下げ操作がされたとしても、噴霧口７３ａが包囲壁部６３に包囲されているため、噴霧された薬剤の外部への放散を包囲壁部６３遮断することができる。そして、薬剤を噴霧させる場合には、操作筒体６０の他方への回転操作により、図２及び図３に示した揮散可能状態とすれば、操作側切欠き部６３ｂが噴霧ポンプ７０の噴霧口７３ａの反対側に整列すると共に、噴霧側切欠き部６３ａが噴霧口７３ａに整列し、噴霧可能な状態となる。
【００３２】
この揮散可能状態のままで揮散容器１を片手で把持して薬剤を噴霧させる際には、放出孔Ｐが操作筒体６０の下端部と容器体１０との間に形成されていることから、操作筒体６０を把持して噴霧ポンプ７０の押し下げ操作を行うことで、手が揮散する薬剤に晒されることを抑制することができる。
【００３３】
前述したところは、本発明の一実施形態を示したにすぎず、特許請求の範囲において、種々の変更を加えることができる。例えば、操作筒体６０と開閉体５０との間には、上下方向に延びる縦リブ５４，６１同士、又は上下方向に延びる縦リブと縦溝を互いに係合させることで、操作筒体６０の回転に伴って開閉体５０を回転させる係合部が形成されるものとして説明したが、必ずしもこのような構成に限定する必要はなく、操作筒体６０と開閉体５０とを接着等により一体化させた構成とすることもできる。なお、この場合には、操作筒体６０は、その回転に伴って開閉体５０と一体に昇降することになるため、装着体３０の支持筒部３６の構成等を適宜変更することが好ましい。
【符号の説明】
【００３４】
１  揮散容器
１０  容器体
１１  口部
１１ａ  雄ねじ部
１２  肩部
１３  上側胴部
１４  外向き壁部
１５  下側胴部
１５ａ  窪み部
１６  底部
１７  突起
１８  表示部
２０  吸上芯
３０  装着体
３１  装着筒部
３１ａ  雌ねじ部
３２  天面壁部
３３  シール壁部
３４  取付筒部
３４ａ  下側取付筒部
３４ｂ  上側取付筒部
３４ｃ  開口
３４ｄ  雄ねじ部
３５  内螺筒部
３５ａ  雄ねじ部
３６  支持筒部
３６ａ  上側支持筒部
３６ｂ  中間支持筒部
３６ｃ  下側支持筒部
３６ｄ  開口
３６ｅ  回転防止リブ
３６ｆ  係止凹部
３６ｇ  鍔部
４０  揮散体
４１  貫通孔
５０  開閉体
５１  外螺筒部
５１ａ  雌ねじ部
５２ａ  開口
５２  連結壁部（開閉壁部の一部）
５３  封止筒壁部（開閉壁部の一部）
５４  縦リブ
５５  封止天壁部（開閉壁部の一部）
５６  封止突起（開閉壁部の一部）
６０  操作筒体
６１  縦リブ
６２  係止突起
６３  包囲壁部
６３ａ  噴霧側切欠き部
６３ｂ  操作側切欠き部
６４  表示部
７０  噴霧ポンプ
７１  取付筒体
７１ａ  雌ねじ部
７２  シリンダ
７３  頭部
７３ａ  噴霧口
７４  吸上パイプ
Ｏ  軸線
Ｐ  放出孔
【図１】
2015196506.tif 000003
【図２】
2015196506.tif 000004
【図３】
2015196506.tif 000005